(57)【要約】      （修正有）【課題】パターンを有する長尺ウェブ状の光学フィルム原反をパターンに対して適正な位置で高精度にスリットすることができる光学フィルムロールの製造システムを提供する。【解決手段】パターンを有する長尺ウェブ状の光学フィルム原反を搬送しながらスリットし、得られた長尺ウェブ状の光学フィルム８１、８２，８３をロール状に巻回して光学フィルムロールを製造するシステムであって、搬送される前記光学フィルム原反の前記パターンを撮像する撮像部と、前記撮像部で撮像して得られた撮像結果に基づき、前記光学フィルム原反の幅方向位置を調整するアライメント部とを有する。【選択図】図１
2014228845.tif 000002
【特許請求の範囲】
【請求項１】
パターンを有する長尺ウェブ状の光学フィルム原反を搬送しながらスリットし、得られた長尺ウェブ状の光学フィルムをロール状に巻回して光学フィルムロールを製造するシステムであって、
搬送される前記光学フィルム原反の前記パターンを撮像する撮像部と、
前記撮像部で撮像して得られた撮像結果に基づき、前記光学フィルム原反の幅方向位置を調整するアライメント部と、を有する、光学フィルムロールの製造システム。
【請求項２】
パターンを有する長尺ウェブ状の光学フィルム原反を搬送しながらスリットし、得られた長尺ウェブ状の光学フィルムをロール状に巻回して光学フィルムロールを製造するシステムであって、
前記光学フィルム原反を光学フィルム原反ロールから繰り出す繰出部と、
前記繰出部から繰り出された前記光学フィルム原反を下流へ搬送する搬送部と、
前記搬送部により搬送される前記光学フィルム原反の前記パターンを撮像する撮像部と、
前記撮像部で撮像して得られた撮像結果に基づき、前記光学フィルム原反の幅方向位置を調整するアライメント部と、
前記撮像部よりも下流側に配置され、前記搬送部により搬送される前記光学フィルム原反を長手方向に沿って連続的に切断し、前記長尺ウェブ状の光学フィルムを得るスリット部と、
前記スリット部で得られた前記光学フィルムをロール状に巻回する巻回部と、を有する光学フィルムロールの製造システム。
【請求項３】
前記撮像部は、前記光学フィルム原反の長手方向に沿って円弧状に形成された凸曲面に、搬送される前記光学フィルム原反を密接させながら前記パターンを撮像する、請求項１又は２に記載の光学フィルムロールの製造システム。
【請求項４】
前記撮像部により撮像される前記光学フィルム原反の前記パターンを含む撮像領域を照明する照明部をさらに有する、請求項１〜３のいずれかに記載の光学フィルムロールの製造システム。
【請求項５】
前記アライメント部が、前記繰出部の幅方向位置を調整する繰出位置調整部を有する、請求項２〜４のいずれか１項に記載の光学フィルムロールの製造システム。
【請求項６】
前記アライメント部が、前記搬送部の一部であり、かつ前記搬送部より搬送される前記光学フィルム原反の幅方向位置を調整するウェブアライメント部を有する、請求項２〜５のいずれか１項に記載の光学フィルムロールの製造システム。
【請求項７】
前記アライメント部が、前記繰出部の幅方向位置を調整する繰出位置調整部と、前記搬送部の一部であり、かつ前記搬送部により搬送される前記光学フィルム原反の幅方向位置を調整するウェブアライメント部とを有し、
前記第１撮像部が、前記繰出部と前記ウェブアライメント部との間に配置される第１撮像部（Ａ）と、前記ウェブアライメント部と前記スリット部との間に配置される第１撮像部（Ｂ）とを有し、
前記繰出位置調整部が、前記第１撮像部（Ａ）で撮像して得られた撮像結果に基づいて、前記繰出部の幅方向位置を調整し、
前記ウェブアライメント部が、前記第１撮像部（Ｂ）で撮像して得られた撮像結果に基づいて、前記搬送部により搬送される前記光学フィルム原反の幅方向位置を調整する、請求項２〜６のいずれか１項に記載の光学フィルムロールの製造システム。
【請求項８】
前記スリット部よりも下流側に配置され、搬送される前記光学フィルムの長手方向の端面であるスリットラインを撮像する第２撮像部と、
前記第２撮像部で撮像された画像を表示する表示部とをさらに有する、請求項２〜７のいずれか１項に記載の光学フィルムロールの製造システム。
【請求項９】
前記光学フィルムが、互いに位相差が異なる第１位相差領域と第２位相差領域が幅方向に交互に配置されたパターン位相差フィルムである、請求項１〜８のいずれか１項に記載の光学フィルムロールの製造システム。
【請求項１０】
前記光学フィルムが、互いに位相差が異なる第１位相差領域と第２位相差領域が幅方向に交互に配置されたパターン位相差フィルムと、長手方向に平行な吸収軸を有する偏光フィルムとが積層されたパターン位相差フィルム一体型偏光板である、請求項９に記載の光学フィルムロールの製造システム。
【請求項１１】
前記光学フィルムが、透光領域と遮光領域が配置されたパターンフィルムである、請求項１〜８のいずれか１項に記載の光学フィルムロールの製造システム。
【請求項１２】
パターンを有する長尺ウェブ状の光学フィルム原反を搬送しながらスリットし、得られた長尺ウェブ状の光学フィルムをロール状に巻回して光学フィルムロールを製造する方法であって、
搬送される前記光学フィルム原反の前記パターンを撮像する撮像工程と、
前記撮像工程で得られた撮像結果に基づき、当該光学フィルム原反の幅方向位置を調整するアライメント工程と、を含む、光学フィルムロールの製造方法。
【請求項１３】
パターンを有する長尺ウェブ状の光学フィルム原反を搬送しながらスリットし、得られた長尺ウェブ状の光学フィルムをロール状に巻回して光学フィルムロールを製造する方法であって、
前記光学フィルム原反を光学フィルム原反ロールから繰り出す繰出工程と、
前記繰出工程で繰り出された前記光学フィルム原反を下流へ搬送する搬送工程と、
前記搬送工程により搬送される前記光学フィルム原反の前記パターンを撮像する撮像工程と、
前記撮像工程で得られた撮像結果に基づき、前記光学フィルム原反の幅方向位置を調整するアライメント工程と、
前記搬送工程により搬送される前記光学フィルム原反を長手方向に沿って連続的に切断し、前記長尺ウェブ状の光学フィルムを得るスリット工程と、
前記スリット工程で得られた前記光学フィルムをロール状に巻回する巻回工程と、を含む、光学フィルムロールの製造方法。
【発明の詳細な説明】
【技術分野】
【０００１】
本発明は、長尺ウェブ状の光学フィルム原反をその長手方向にスリットして長尺ウェブ状の光学フィルムとし、この長尺ウェブ状の光学フィルムをロールに巻回して光学フィルムロールを製造するための製造システムおよび製造方法に関する。
【背景技術】
【０００２】
立体画像を表示する３Ｄ−ＬＣＤ  ＴＶ等の立体画像表示装置では、互いに位相差が異なる右眼用画像表示領域（第１位相差領域）と左眼用画像表示領域（第２位相差領域）が幅方向に交互に配置されたパターン位相差フィルムや、透光領域と遮光領域が配置されたパターンフィルムなどが用いられる。これらフィルムには、予めパターンが形成されている。
【０００３】
光学フィルムロールを製造するは、一般的に、幅広の光学フィルム原反を所定幅にスリットし、このスリット後の光学フィルムをロールに巻回する。しかし、上記のように予めパターンが形成された光学フィルムの場合、単にスリット幅を適正にするだけでなく、パターンに対して適正な位置で高精度にスリットすることが要求される。
【０００４】
特許文献１では、パターン位相差フィルムが巻回されたロールを開示している。
【先行技術文献】
【特許文献】
【０００５】
【特許文献１】特開２０１２−３２４４５号
【発明の概要】
【発明が解決しようとする課題】
【０００６】
しかしながら、特許文献１では、パターンに対して適正な位置で高精度にスリットする方法について具体的に記載されていない。
【０００７】
本発明は、上記の課題に鑑みてなされたものであって、パターンを有する長尺ウェブ状の光学フィルム原反を、パターンに対して適正な位置で高精度にスリットすることができる光学フィルムロールの製造システムおよび製造方法を提供することを目的とする。
【課題を解決するための手段】
【０００８】
上記課題を解決するために、鋭意研究を重ねた結果、以下の本発明を完成するに至ったものである。すなわち、本発明は、パターンを有する長尺ウェブ状の光学フィルム原反を搬送しながらスリットし、得られた長尺ウェブ状の光学フィルムをロール状に巻回して光学フィルムロールを製造するシステムであって、
搬送される前記光学フィルム原反の前記パターンを撮像する撮像部と、
前記撮像部で撮像して得られた撮像結果に基づき、前記光学フィルム原反の幅方向位置を調整するアライメント部とを有する。
【０００９】
この構成によれば、光学フィルム原反のパターンの幅方向位置に基づき、当該光学フィルム原反の幅方向位置が調整されるため、当該光学フィルム原反をパターンに対して適正な位置で高精度にスリットすることができる。
【００１０】
前記パターンとしては、例えば、光学フィルム原反の長手方向と平行な線(基準線)、あるいは搬送される長尺ウェブ状の光学フィルム原反の搬送方向（長手方向）と平行な線(基準線)が挙げられる。
【００１１】
なお、本明細書において「幅方向」とは、搬送される長尺ウェブ状の光学フィルム原反の搬送方向（長手方向）と直交する方向を指す。
【００１２】
また、他の発明の本発明は、パターンを有する長尺ウェブ状の光学フィルム原反を搬送しながらスリットし、得られた長尺ウェブ状の光学フィルムをロール状に巻回して光学フィルムロールを製造するシステムであって、
前記光学フィルム原反を光学フィルム原反ロールから繰り出す繰出部と、
前記繰出部から繰り出された前記光学フィルム原反を下流へ搬送する搬送部と、
前記搬送部により搬送される前記光学フィルム原反の前記パターンを撮像する撮像部と、
前記撮像部で撮像して得られた撮像結果に基づき、前記光学フィルム原反の幅方向位置を調整するアライメント部と、
前記撮像部よりも下流側に配置され、前記搬送部により搬送される前記光学フィルム原反を長手方向に沿って連続的に切断し、前記長尺ウェブ状の光学フィルムを得るスリット部と、
前記スリット部で得られた前記光学フィルムをロール状に巻回する巻回部と、を有する。
【００１３】
この構成によれば、光学フィルム原反のパターンの幅方向位置に基づき、当該光学フィルム原反の幅方向位置が調整されるため、当該光学フィルム原反をパターンに対して適正な位置で高精度にスリットすることができる。
【００１４】
また、上記発明の一実施形態として、前記撮像部は、前記光学フィルム原反の長手方向に沿って円弧状に形成された凸曲面に、搬送される前記光学フィルム原反を密接させながら前記パターンを撮像する。
【００１５】
この構成によれば、光学フィルム原反の搬送中のばたつきを無くし、パターンの幅方向位置を測定したときの測定バラツキを減らすことができるため、光学フィルム原反をパターンに対してより適正な位置で高精度にスリットすることができる。
【００１６】
また、上記発明の一実施形態として、光学フィルムロールの製造システムは、前記撮像部により撮像される前記光学フィルム原反の前記パターンを含む撮像領域を照明する照明部をさらに有する。
【００１７】
この構成によれば、パターンの境界（エッジ）が際立つため撮像される画像が鮮明となり、パターンの幅方向位置の測定誤差を減少できる。撮像部に対して、透過光方式でパターンを照射するよりも、反射光方式でパターンを照射する方がパターンの境界（エッジ）がより際立つため好ましい。
【００１８】
また、上記発明の一実施形態として、前記アライメント部が、前記繰出部の幅方向位置を調整する繰出位置調整部を有する。
【００１９】
また、上記発明の一実施形態として、前記アライメント部が、前記搬送部の一部であり、かつ前記搬送部より搬送される前記光学フィルム原反の幅方向位置を調整するウェブアライメント部を有する。
【００２０】
また、上記発明の一実施形態として、前記アライメント部が、前記繰出部の幅方向位置を調整する繰出位置調整部と、前記搬送部の一部であり、かつ前記搬送部により搬送される前記光学フィルム原反の幅方向位置を調整するウェブアライメント部とを有し、
前記第１撮像部が、前記繰出部と前記ウェブアライメント部との間に配置される第１撮像部（Ａ）と、前記ウェブアライメント部と前記スリット部との間に配置される第１撮像部（Ｂ）とを有し、
前記繰出位置調整部が、前記第１撮像部（Ａ）で撮像して得られた撮像結果に基づいて、前記繰出部の幅方向位置を調整し、
前記ウェブアライメント部が、前記第１撮像部（Ｂ）で撮像して得られた撮像結果に基づいて、前記搬送部により搬送される前記光学フィルム原反の幅方向位置を調整する。
【００２１】
この構成によれば、繰出位置調整部によって繰出部の幅方向位置を調整し、かつウェブアライメント部によって搬送中の光学フィルム原反の幅方向位置を調整することができる。繰出位置調整部による調整は、ウェブアライメント部のそれよりも大きなアライメント（移動距離が大きい）であり、ウェブアライメント部のアライメントは小さなアライメントをするのに適している。これにより、光学フィルム原反をパターンに対して適正な位置で高精度にスリットすることができる。
【００２２】
ウェブアライメント部は、例えば、少なくとも２本のロールと、当該ロールをその長手方向に自由に移動させる移動機構とを有する。２本のロールの長手方向と光学フィルム原反の幅方向とが平行になるように、２本のロールと光学フィルム原反とを配置し、２本のロールに光学フィルム原反を巻き掛ける。光学フィルム原反を搬送させながら、２本のロールを移動機構で幅方向に移動させることで、光学フィルム原反の幅方向位置を微調整できる。
【００２３】
また、上記発明の一実施形態として、前記スリット部よりも下流側に配置され、搬送される前記光学フィルムの長手方向の端面であるスリットラインを撮像する第２撮像部と、
前記第２撮像部で撮像された画像を表示する表示部とをさらに有する。
【００２４】
この構成によれば、第２撮像部で撮像されたスリット位置を、モニターなどの表示部に出力（表示）させることで、オペレータによりスリットがパターンに対して適正な位置でなされているかを目視で簡単に確認できる。
【００２５】
また、上記発明の一実施形態として、前記光学フィルムが、互いに位相差が異なる第１位相差領域と第２位相差領域が幅方向に交互に配置されたパターン位相差フィルムである。
【００２６】
前記パターン位相差フィルムとしては、例えば、右眼用画像及び左眼用画像を表示することにより立体画像を表示する装置に設けられるパターン位相差フィルム（立体画像表示装置用位相差フィルム）などが挙げられる。
【００２７】
また、上記発明の一実施形態として、前記光学フィルムが、互いに位相差が異なる第１位相差領域と第２位相差領域が幅方向に交互に配置されたパターン位相差フィルムと、長手方向に平行な吸収軸を有する偏光フィルムとが積層されたパターン位相差フィルム一体型偏光板である。
【００２８】
また、上記発明の一実施形態として、前記光学フィルムが、透光領域と遮光領域が配置されたパターンフィルムである。
【００２９】
また、前記スリット部の切断手段として、例えば、カッター、レーザーが挙げられる。また、前記スリット部の切断手段は、例えば、前記光学フィルム原反の幅方向において２つ以上設けられている。
【００３０】
他の発明の光学フィルムロールの製造方法は、パターンを有する長尺ウェブ状の光学フィルム原反を搬送しながらスリットし、得られた長尺ウェブ状の光学フィルムをロール状に巻回して光学フィルムロールを製造する方法であって、
搬送される前記光学フィルム原反の前記パターンを撮像する撮像工程と、
前記撮像工程で得られた撮像結果に基づき、当該光学フィルム原反の幅方向位置を調整するアライメント工程と、を含む。
【００３１】
また、他の発明の光学フィルムロールの製造方法は、
パターンを有する長尺ウェブ状の光学フィルム原反を搬送しながらスリットし、得られた長尺ウェブ状の光学フィルムをロール状に巻回して光学フィルムロールを製造する方法であって、
前記光学フィルム原反を光学フィルム原反ロールから繰り出す繰出工程と、
前記繰出工程で繰り出された前記光学フィルム原反を下流へ搬送する搬送工程と、
前記搬送工程により搬送される前記光学フィルム原反の前記パターンを撮像する撮像工程と、
前記撮像工程で得られた撮像結果に基づき、前記光学フィルム原反の幅方向位置を調整するアライメント工程と、
前記搬送工程により搬送される前記光学フィルム原反を長手方向に沿って連続的に切断し、前記長尺ウェブ状の光学フィルムを得るスリット工程と、
前記スリット工程で得られた前記光学フィルムをロール状に巻回する巻回工程と、を含む。
【図面の簡単な説明】
【００３２】
【図１】実施形態１の光学フィルムロールの製造システムの概略図。
【図２】実施形態１の基準線の例を示す図。
【図３】第１撮像部の視野範囲を例示する図。
【図４】第２撮像部の視野範囲を例示する図。
【図５】実施形態２の光学フィルムロールの製造システムの概略図。
【図６】実施形態３の光学フィルムロールの製造システムの概略図。
【図７】実施例１、２の評価結果を示す図。
【発明を実施するための形態】
【００３３】
（実施形態１）
実施形態１の光学フィルムロールの製造システム１の構成を図１を参照しながら説明する。図２に長尺ウェブ状の光学フィルム原反８０の一例を示す。
【００３４】
本実施形態１の長尺ウェブ状の光学フィルム原反は、互いに位相差が異なる右眼用画像表示領域（位相差が＋λ／４、第１位相差領域）と左眼用画像表示領域（位相差が−λ／４、第２位相差領域）が幅方向に交互に配置された立体画像表示装置用のパターン位相差フィルムと、長手方向に平行な吸収軸を有する偏光フィルムとが積層された光学フィルム原反（立体画像表示装置用パターン位相差フィルム一体型偏光板の一例）である。この光学フィルム原反のフィルム幅は、例えば、１２００ｍｍ以上、２４００ｍｍ以下である。
【００３５】
本実施形態では、長尺ウェブ状の光学フィルム原反８０の長手方向に平行な基準線（パターンの境界）Ｌ１を検出ラインとする。すなわち、この検出ラインに基づき、パターンの幅方向位置を計測する。基準線は、１つでもよく、２以上でもよい。また、基準線の線種としては特に制限されず、例えば実線、破線が挙げられるが、実線が好ましい。
【００３６】
繰出部１０は、長尺ウェブ状の光学フィルム原反８０を、光学フィルム原反ロールＲ１から繰り出す。繰出部１０は、光学フィルム原反ロールＲ１を回転させる回転機構を有する。回転機構は自由回転でもよく、モータに連結されて回転駆動可能になっていてもよい。
【００３７】
搬送部５０は、繰出部１０から繰り出された光学フィルム原反８０を下流へ搬送する。搬送部５０は、不図示のニップロールによって光学フィルム原反８０を挟んで送りだす構成でもよく、後述する下流側に配置された巻回部７０によって、ロールＲ２，Ｒ３，Ｒ４にスリットして得られた長尺ウェブ状の光学フィルムを巻回することで搬送されてもよく、それら両方で搬送してもよい。
【００３８】
第１撮像部４１は、搬送部５０により搬送される光学フィルム原反８０のパターンを撮像する。第１撮像部４１は、例えば、エリアカメラで構成される。図３に示すとおり、第１撮像部４１は、その視野内にパターン（基準線Ｌ１）を撮像する。
【００３９】
第１撮像部４１は、光学フィルム原反８０の長手方向に沿って円弧状に形成された凸曲面に、搬送される光学フィルム原反８０を密接させながらパターン（基準線Ｌ１）を撮像する。この凸曲面として、搬送部５０の一部を構成するロール５１が用いられる。
【００４０】
本実施形態では、第１撮像部４１により撮像される光学フィルム原反８０のパターン（基準線Ｌ１）を含む撮像領域を照明する照明部として、リング照明４１１を用いる。本実施形態では、図１に示したとおり、第１撮像部４１は、光学フィルム原反８０に対して、リング照明４１１と同じ側で、かつリング照明４１１よりも離れた位置に配置される。また、第１撮像部４１と光学フィルム原反８０の間には、基準線を形成する一方の領域とクロスニコルの関係になり、他方の領域とパラレルニコルの関係になる円偏光板が設けられる。
【００４１】
第１撮像部４１で撮像された画像は、情報処理装置９０で画像解析される。情報処理装置９０の判断部（位置情報取得部）９１は、画像解析して得られた画像の基準線を検出する。図３に示すとおり、検出された基準線を検出ラインとする。この検出ラインが、カメラの視野内の予め設定された標準位置（基準線があるべき幅方向位置）にあるか（または所定の範囲内に配置されているか）否かを判断する。判断部９１は、例えば、視野範囲（撮像エリア）の図面上右端から基準線（検出ライン）までの垂直距離を測定し、その測定値が所定値の範囲内か否かで判断する。判断部９１が、基準線の幅方向位置が、予め設定された位置（基準線があるべき幅方向位置）にある（または所定の範囲内に配置されている）と判断した場合には、なにも指示をしなくてもよく、例えば、表示部のモニター９５へ画像を出力させてもよい。
【００４２】
一方、判断部９１が、基準線（検出ライン）が、予め設定された標準位置（基準線があるべき幅方向位置）にない、（または所定の範囲内に配置されていない）と判断した場合には、演算部９２は、繰出部１０の移動方向と移動量を求める。演算部９２は、例えば、基準線の前記標準位置からのズレ方向およびズレ量を測定し、繰出部１０の移動方向（ズレ方向と逆方向）と移動量を求める。移動量は、ズレ量と同じでもよく、ズレ量よりも大きくてもよく、小さくてもよい。そして、制御部９３は、上記で求められた移動方向と移動量を、後述する繰出位置調整部６０に指令する。
【００４３】
繰出位置調整部６０は、第１撮像部４１で撮像して得られた撮像結果(画像)に基づき、繰出部１０の幅方向位置を調整する。繰出位置調整部６０は、繰出部１０をその幅方向に移動させるための移動機構を有し、制御部９３から送られた移動方向と移動量に基づいて、この移動機構によって、繰出部１０の幅方向位置を調整する。移動機構としては、例えば、直動機構が挙げられる。
【００４４】
スリット部３０は、第１撮像部４１よりも下流側に配置され、搬送部５０により搬送される光学フィルム原反８０を長手方向に沿って連続的に切断し、長尺ウェブ状の光学フィルム８１、８２、８３を得る。スリット部３０の切断手段としては、例えば、カッター、レーザーが挙げられるが、切断面の品質の観点からカッターが好ましく、２つのカッターで切断物を挟んで対向させるシェアカットがより好ましい。本実施形態では、スリット部３０の切断手段が、光学フィルム原反８０の幅方向において３つ設けられているが、２つであってもよく、４つ以上であってもよい。
【００４５】
巻回部７０は、スリット部３０で切断された長尺ウェブ状の光学フィルム８１、８２、８３をそれぞれロールＲ２、Ｒ３、Ｒ４に巻き取る。巻回部７０は、不図示のモータと回転機構を有し、ロールＲ２，Ｒ３，Ｒ４を同期かつ同速で回転させ、長尺ウェブ状の光学フィルム８１、８２、８３をそれぞれ巻き取る。
【００４６】
第２撮像部４３、４４は、スリット部３０よりも下流側に配置され、搬送される光学フィルムの切断された長手方向の端面であるスリットラインＣ１を撮像する。本実施形態では、第２撮像部４３、４４は、ラインカメラで構成される。
【００４７】
第２撮像部４３、４４は、光学フィルム８１、８２の長手方向に沿って円弧状に形成された凸曲面に、搬送される光学フィルム８１、８２を密接させながらスリットライン（スリット後の切断面）を撮像する。この凸曲面として、搬送部５０の一部を構成するロール５３、５４がそれぞれ用いられる。
【００４８】
本実施形態では、第２撮像部４３、４４により撮像されるスリットラインＣ１を含む撮像領域を照明する照明部として、バー照明４３１、４４１を用いる。図１に示したとおり、第２撮像部４３、４４は、光学フィルム８１、８２に対して、バー照明４３１、４４１と同じ側で、かつバー照明４３１、４４１よりも離れた位置に配置される。
【００４９】
第２撮像部４３、４４で撮像された画像は、モニターへ送られ表示することができる。第２撮像部４３，４４で撮像されたスリット位置を、モニター９５に出力（表示）させることで、オペレータによるスリットラインＣ１の目視確認を簡単に行える。図４に、第２撮像部で撮像されたスリットラインＣ１の画像の一例を示す。
【００５０】
（実施形態２）
実施形態２の光学フィルムロールの製造システム２の構成を図５を参照しながら説明する。実施形態１と異なる構成について説明し、同じ構成の説明は省略する。
【００５１】
搬送部５０は、繰出部１０と第１撮像部４２との間で、第１撮像部４２で撮像して得られた画像に基づいて、光学フィルム原反８０の幅方向の位置を調整するウェブアライメント部２０を有する。第１撮像部４２は実施形態１の第１撮像部４１と同じ構成である。情報処理装置９０も同じ構成であり、実施形態１と同様に移動方向と移動量を求め、ウェブアライメント部２０へ指令し、ウェブアライメント部２０によって光学フィルム原反８０の幅方向の位置を調整させる。
【００５２】
実施形態２のウェブアライメント部２０は、第１アライメントロール２１と、第２アライメントロール２２と、第１、第２アライメントロール２１、２２をその長手方向に自由に移動させる直動機構２３とを有する。第１、第２アライメントロール２１、２２の長手方向と光学フィルム原反８０の幅方向とが平行になるように、第１、第２アライメントロール２１、２２と光学フィルム原反８０とを配置する。図５のように、第１アライメントロール２１に対し光学フィルム原反８０を下から右横へ９０°の角度で巻き掛け、次いで、第２アライメントロール２２に対し光学フィルム原反８０を下へ９０°の角度で巻き掛ける。搬送部５０によって光学フィルム原反８０を搬送させながら、第１、第２アライメントロール２１、２２を直動機構２３でフィルム幅方向に移動させることで、光学フィルム原反８０の幅方向位置を微調整する。
【００５３】
（実施形態３）
実施形態３の光学フィルムロールの製造システム３の構成を図６を参照しながら説明する。実施形態３は実施形態１の第１撮像部（Ａ）４１と、実施形態２の第１撮像部（Ｂ）４２を２つ備えた構成である。
【００５４】
第１撮像部（Ａ）４１で撮像された撮像結果（画像）に基づいて、繰出位置調整部６０による繰出部１０の幅方向位置を調整する。
【００５５】
第１撮像部（Ｂ）４２で撮像された撮像結果（画像）に基づいて、ウェブアライメント部２０による光学フィルム原反８０の幅方向位置を調整する。
【００５６】
＜製造方法＞
光学フィルムロールの製造方法は、パターンを有する長尺ウェブ状の光学フィルム原反を搬送しながらスリットし、得られた長尺ウェブ状の光学フィルムをロール状に巻回して光学フィルムロールを製造する方法であって、搬送される前記光学フィルム原反の前記パターンを撮像する撮像工程と、前記撮像工程で得られた撮像結果に基づき、当該光学フィルム原反の幅方向位置を調整するアライメント工程とを含む。
【００５７】
また、光学フィルムロールの製造方法は、パターンを有する長尺ウェブ状の光学フィルム原反を搬送しながらスリットし、得られた長尺ウェブ状の光学フィルムをロール状に巻回して光学フィルムロールを製造する方法であって、前記光学フィルム原反を光学フィルム原反ロールから繰り出す繰出工程と、前記繰出工程で繰り出された前記光学フィルム原反を下流へ搬送する搬送工程と、前記搬送工程により搬送される前記光学フィルム原反の前記パターンを撮像する撮像工程と、前記撮像工程で得られた撮像結果に基づき、前記光学フィルム原反の幅方向位置を調整するアライメント工程と、前記搬送工程により搬送される前記光学フィルム原反を長手方向に沿って連続的に切断し、前記長尺ウェブ状の光学フィルムを得るスリット工程と、前記スリット工程で得られた前記光学フィルムをロール状に巻回する巻回工程とを含む。
【００５８】
（光学フィルムの別実施形態）
上記実施形態では、光学フィルム原反をパターン位相差フィルム一体型偏光板の例で説明したが、特にこれに制限されず、例えば、光学フィルム原反のパターンフィルムが透光領域と遮光領域が幅方向に交互に配置されたパターンフィルムでもよい。
【００５９】
＜実施例＞
実施例１は、上記実施形態１の構成であり、実施例２は、上記実施形態３の構成である。比較例１は、実施例１の第１撮像部４１の代わりに、ラインフォロワセンサーを用いたこと以外は、実施例１と同じである。評価として、フィルム搬送速度を変えて６００ｍ分だけスリットし、スリットした光学フィルムの長手方向に１ｍ間隔で２０点、スリット端面から基準線（エッジ）までの距離を測定し、測定距離のバラツキＲを求めた。その結果を図７に示す。図７は横軸が搬送速度で、縦軸がバラツキを示す。
【００６０】
実施例１および実施例２は、比較例１よりも適正な位置で高精度にスリットできた。ラインフォロワセンサーの場合、視野内に複数ラインが存在していた場合には、どのラインを検出しているかが不明確となり、基準線の幅方向位置を適正に測定できなくなるため、スリット位置のバラツキが大きくなったと推測される。また、ラインフォロワセンサーは、高速フィルム搬送速度を高速化した際に、あるいは速度変動の際にスリット位置のバラツキが大きくなる。本来検出すべき基準線を間違えていたり、本来検出すべき基準線が高精度（きれい）に検出できず、検出すべき基準線が正確に測定できない傾向がある。また、２種類の幅方向調整機能を有する実施例２の方が、１種類の幅方向調整機能を有する実施例１よりも、より高速にしてもパターンに対して適正な位置でスリットできた。
【符号の説明】
【００６１】
１        光学フィルムロールの製造システム
１０      繰出部
２０      ウェブアライメント部
２１      第１アライメントロール
２２      第２アライメントロール
３０      スリット部
４１、４２      第１撮像部
４１１、４２１  リング照明
４３、４４      第２撮像部
４３１、４４１  バー照明
５０      搬送部
５１、５２、５３、５４      ロール
６０      繰出位置調整部
７０      巻回部
８０      長尺ウェブ状の光学フィルム原反
８１、８２、８３      長尺ウェブ状の光学フィルム
９０      情報処理装置
Ｌ１      基準線
Ｃ１      スリットライン
Ｒ１      光学フィルム原反ロール
Ｒ２、Ｒ３、Ｒ４  ロール
【図１】
2014228845.tif 000003
【図２】
2014228845.tif 000004
【図３】
2014228845.tif 000005
【図４】
2014228845.tif 000006
【図５】
2014228845.tif 000007
【図６】
2014228845.tif 000008
【図７】
2014228845.tif 000009